(57)【要約】      （修正有）【課題】少ない建造工程で施工に要する時間を短縮し、低い材料コストで必要な負荷能力を備えた梁無し耐震壁の構造を提供する。【解決手段】第１壁１００、第２壁６００、床スラブ５０、及び少なくとも１本の柱３００からなり、第１壁は頂面、底面、及び端面を有し、第２壁は前記第１壁の前記底面がある一側に設置されて前記第１壁に鄰接して共に耐震壁を形成する。床スラブ５０は第１壁１００の頂面がある一側に設置され、柱は耐震壁の一辺に隣接し、支承面を有する。第１壁１００の頂面と柱は共に床スラブ５０を支持する。【選択図】図４Ｄ
0003176376.tif 000002
【実用新案登録請求の範囲】
【請求項１】
底部と底面を連接する第1柱と、
頂面、底面、及び前記頂面・前記底面と連接する端面を有する第1壁と、
前記第1壁が前記底面を有する一側に設置されて前記第1壁に鄰接し、前記第1壁と共に耐震壁を形成する第２壁と、
前記第1壁の前記頂面に設置されて前記耐震壁に支持された床スラブと、
前記耐震壁の一辺に隣接し、前記床スラブがその上に支持される少なくとも１つの柱と、
からなることを特徴とする梁無し耐震壁の構造。
【請求項２】
前記第1壁には第1延出方向、及び少なくとも2本の下層筋と中層筋を有し、前記少なくとも2本の下層筋と中層筋は前記第1延出方向に延出することを特徴とする請求項１に記載の梁無し耐震壁の構造。
【請求項３】
少なくとも１本の柱と、前記少なくとも１本の柱に鄰接し、壁の高さが前記柱の高さより高い耐震壁と、
前記耐震壁の壁と前記少なくとも１つの柱上に支持された床スラブと、
前記柱、前記耐震壁、及び前記床スラブに連接された少なくとも１つの梁柱接合部と、
からなり、前記柱と前記梁柱接合部の高さの合計が前記耐震壁の高さに実質的に等しいことを特徴とする梁無し耐震壁の構造。
【考案の詳細な説明】
【技術分野】
【０００１】
本考案は、梁無し耐震壁の構造に関する。
【背景技術】
【０００２】
耐震壁は多くの構造物における縦方向の負荷と横方向力、特に例えば風載重や地震力による横方向力に耐え若しくはこれを伝導することができる構造体である。
【０００３】
一般的に、耐震壁は鉄筋コンクリート構造の壁である。構造物における耐震壁は通常柱梁構造内に構築される。
【考案の概要】
【考案が解決しようとする課題】
【０００４】
然しながら、実際には耐震壁の上方の梁は受け止められる筈の力に耐えられない。また、支持する役割も梁でないといけないわけではない。上記の実際の状況を考慮し、梁構造を建造するのに掛かる時間と材料コストを比較すると、公知の構造にはなおも改善の余地がある。
【０００５】
本考案は、このような従来の問題に鑑みてなされたものである。上記課題解決のため、本考案は、少ない建造工程で施工に要する時間を短縮した梁無し耐震壁の構造を提供することを主目的とする。
【課題を解決するための手段】
【０００６】
上述した課題を解決し、目的を達成するために、本考案に係る梁無し耐震壁の構造は、
底部と底面を連接する第1柱と、
頂面、底面、及び前記頂面・前記底面と連接する端面を有する第1壁と、
前記第1壁が前記底面を有する一側に設置されて前記第1壁に鄰接し、前記第1壁と共に耐震壁を形成する第２壁と、
前記第1壁の前記頂面に設置されて前記耐震壁に支持された床スラブと、
前記耐震壁の一辺に隣接し、前記床スラブがその上に支持される少なくとも１つの柱と、からなることを特徴とする。
【考案の効果】
【０００７】
本考案によれば、少ない建造工程で施工に要する時間を短縮し、低い材料コストで必要な負荷能力が得られる。
【図面の簡単な説明】
【０００８】
【図１Ａ】本考案に係る梁無し耐震壁の構造の実施形態における概略図である。
【図１Ｂ】本考案に係る梁無し耐震壁の構造の実施形態における概略図である。
【図１Ｃ】本考案に係る梁無し耐震壁の構造の実施形態における概略図である。
【図２】本考案に係る梁無し耐震壁の構造のプレキャスト部材の概略図である。
【図３Ａ】本考案に係る梁無し耐震壁の構造におけるプレキャスト部材と柱の上面概略図である。
【図３Ｂ】本考案に係る梁無し耐震壁の構造におけるプレキャスト部材と柱の上面概略図である。
【図４Ａ】本考案に係る梁無し耐震壁の構造の別の実施形態における概略図である。
【図４Ｂ】本考案に係る梁無し耐震壁の構造の別の実施形態における概略図である。
【図４Ｃ】本考案に係る梁無し耐震壁の構造の別の実施形態における概略図である。
【図４Ｄ】本考案に係る梁無し耐震壁の構造の別の実施形態における概略図である。
【図５】本考案に係る梁無し耐震壁の構造の第1壁の実施形態における概略図である。
【図６Ａ】本考案に係る梁無し耐震壁の構造の第1壁の別の実施形態における概略図である。
【図６Ｂ】本考案に係る梁無し耐震壁の構造の第1壁の別の実施形態における概略図である。
【図７】本考案に係る梁無し耐震壁の構造の第1壁の別の実施形態における概略図である。
【図８】本考案に係る梁無し耐震壁の構造の第1壁の別の実施形態における概略図である。
【考案を実施するための形態】
【０００９】
以下に図面を参照して、本考案を実施するための形態について、詳細に説明する。なお、本考案は、以下に説明する実施形態に限定されるものではない。
【００１０】
まず、本考案の梁無し耐震壁の構造の第１実施形態について説明する。
（第１実施形態）
本考案の実施形態における梁無し耐震壁の構造は図１Ａ、１Ｂ、１Ｃに示される通りであり、本考案の梁無し耐震壁の構造１は耐震壁１０、床スラブ５００、及び少なくとも１本の柱３００からなる。前記耐震壁１０は現場でコンクリート打ちして一体成型すると共に、床スラブ５００、梁柱接合部４３０と鄰接させる。換言すると、耐震壁１０の高さＨは柱３００に等しい。また、図２のように、耐震壁の１０の成型で使用される型枠７００は、公知の方法で耐震壁１０の壁筋６１０ａと事前にプレキャスト部材７６０に組立てるのが好ましい。プレキャスト部材７６０の設置が完了すると（後で説明する）、型枠７００の間にコンクリート等の建築用スラリーを流し込み、耐震壁１０の壁１１０が形成される。壁１１０の高さｈは柱３００と梁柱接合部４３０の合計に等しい。壁筋６１０ａは水平鉄筋６１０２ａと垂直鉄筋６１０４ａからなる。垂直鉄筋６１０４ａは一端が耐震壁１０の壁から突伸して床スラブ５００の鉄筋と連接し、上方に新たな階層を建造する。
【００１１】
図１Ａのように、前記柱３００は床又は床スラブ５０上に設置され、型枠７００と耐震壁１０の壁筋６１０ａでプレキャスト部材７６０を構成する。前記プレキャスト部材７６０を設置する方法は、例えば柱３００又は床スラブ／床５０の鉄筋突出部がプレキャスト部材の壁筋６１０ａを遮断しないようにすることが可能なので、行なうことができる。図３Ａの上面図のように、２層の水平鉄筋６１０２ａの間の距離Ｌ１は柱３００の対になった鉄筋突出部３０７の間の距離Ｌ２、Ｌ３より小さく、しかも２層の垂直鉄筋６１０４ａは更に水平鉄筋６１０２ａの内側と外側に位置する。
【００１２】
また、図３Ａ−３Ｂの上面図のように、プレキャスト部材７６０の水平鉄筋６１０２ａは設置が完了すると柱３００の鉄筋突出部３０７と重ね合わせて、相互にラップジョイントすることができ、重ね合わせた長さは公知の鉄筋ラップジョイントの適度な長さである。一方、水平鉄筋６１０２ａと型枠７００内面との間の垂直距離Ａは壁筋６１０ａの保護厚みである１．５〜４ｃｍより大きいか若しくは等しい。前記の距離Ｌ２又はＬ３のように、床スラブ／床５０の対になった鉄筋５１も壁筋６１０ａの設計に合わせてその間の距離を決めるので、プレキャスト部材７６０は柱３００の前記鉄筋突出部３０７を通って、床スラブ／床５０へ移動した後、最終的に床スラブ／床５０上に設置される。垂直鉄筋６１０４ａはプレキャスト部材７６０の設置が完了すると、床スラブ／床５０の鉄筋５１と相互にラップジョイント又は接続することができる。
【００１３】
図１Ｂのように、プレキャスト部材７６０の型枠７００は柱３００の支承面３０１から突伸するのが好ましい。型枠７００の床スラブ／床５０に垂直な方向の長さは高さｈで、且つ水平鉄筋６１０２ａも型枠７００と床スラブ／床５０とが連接する一端から図３Ｂにある水平面のような支承面３０１より高く分布する。また、梁４００と梁柱接合部４３０（図１Ｃ参照）のあばら筋２８０は、柱３００の主筋群３０５の上方から順番に支承面３０１上に設置されて梁４００の下層筋の湾曲部と交錯すると共に、梁４００の下層筋と柱３００の主筋群３０５とを連接する。あばら筋２８０に伸長した鉄筋２８０１を設置するのが好ましく、壁筋６１０ａの水平鉄筋６１０２ａと連接させ、対になった鉄筋２８０１も壁筋６１０ａによってその間の距離を決めることができる。
【００１４】
図４Ｄのように、耐震壁１０、床スラブ５００、以及少なくとも１本の柱３００からなる。柱３００の本数は２本が好ましく、床又は床スラブ５０に設置されそれぞれ耐震壁１０の両辺に鄰接して、床スラブ５００を支持する。また、耐震壁１０は第１壁１００、第２壁６００、及び梁柱接合部４３０からなり、柱３００と梁４００とを連接し、梁柱接合部４３０は第１壁１００、及び支持する床スラブ５００と鄰接する。
【００１５】
図５と図４Ａのように、本考案の第１壁１００は、第１延出方向Ｄ、頂面１０１、底面１０３、及び端面１０５を有するプレキャストの壁が好ましく、しかも第１延出方向Ｄから延出した下層筋２００と中層筋２２０を含んで水平方向に配筋されている。
【００１６】
中層筋２２０は公知の水平鉄筋と同様の番号の鉄筋を採用することができる。下層筋２００は中層筋２２０に比べて太く、第１壁１００の底面１０３の近傍に分布し、第１壁１００の主筋とする。下層筋２００は第１壁１００を貫通し、両端がそれぞれ第１壁１００と反対側の端面１０５に突伸して湾曲部２０５を形成する。湾曲部２０５は太い鉄筋を９０度湾曲して形成するのが好ましい。また、下層筋２００の本数は２本が好ましく、２本の下層筋２００は互いに第１壁１００中央から離間する方向に分離して、それぞれ第１壁１００の両側に近傍する。
【００１７】
前記垂直鉄筋２６０は第１延出方向Ｄに延出して、並列した２列に分かれ、２列の垂直鉄筋２６０はそれぞれ第１壁１００の両側に近傍し、上層筋２００、下層筋２２０と連接、つまり互いに垂直に交わることが好ましい。
【００１８】
図４Ａのように、第１壁１００は一部の下層筋２００により両柱３００上に支承され、前記一部の下層筋２００は湾曲部２０５を含む。柱３００は前記梁４００等の構造を支持することも可能である。梁４００も公知の湾曲部を形成する下層筋により２本の柱３００上に支承される。その後、図４Ｂのように、梁柱接合部４３０（図４Ｄ参照）のあばら筋２８０は、３００の主筋群３０５の上方より順番に支承面３０１に設置されて、第１壁１００、梁４００の下層筋の湾曲部と交錯すると共に、第１壁１００、梁４００の下層筋、柱３００の主筋群３０５と連接される。
【００１９】
図４Ｂのように、第１壁１００はさらに水平方向の上層筋２４０を含む。即ち、本考案に係る耐震壁の第１壁１００部分は、下層筋２００、中層筋２２０、及び上層筋２４０で公知の壁筋内の水平鉄筋に取って代わる。上層筋２４０は中層筋２２０より太く、また、前記あばら筋２８０を設置した後、積層するように第１壁１００の頂面１０１に設置し、第１延出方向Ｄに延出してあばら筋２８０から梁４００に至ることが好ましい。このほか、本実施形態では、上層筋２４０の本数は２本で、２本の上層筋２４０は互いに第１壁１００中央から離間する方向に分離して、それぞれ第１壁１００の両側に近傍し、それぞれ前記２列の垂直鉄筋２６０が頂面１０１に突伸した部分と連接、つまり互いに交わることが好ましい。さらに、梁柱接合部４３０は図４Ｂに示されたステップの後、現場でコンクリート打ちして形成する。
【００２０】
前述のように、本考案に係る梁無し耐震壁の構造は床スラブを含む。図４Ｃのように、床スラブ５００は図４Ｂで示されたステップの後、梁柱接合部４３０と同時若しくは梁柱接合部４３０の後に設置、又は第１壁１００の頂面１０１と梁柱接合部４３０に形成されて、柱３００と第１壁１００によって支承される。床スラブ５００はプレキャスト構件でよく、現場でコンクリート打ちして形成してもよい。
【００２１】
図４Ｃ−４Ｄのように第２壁６００は第１壁１００が底面１０３を有する一側に設置されて、第１壁１００と鄰接する。第２壁６００は梁柱接合部４３０を設置／形成した後、また、床スラブ５００を設置／形成した後若しくは設置／形成する前に、現場でコンクリート打ちをして形成することが好ましい。図４Ｃのように、第２壁６００の配筋は垂直鉄筋と水平鉄筋の壁筋６１０を含む。
【００２２】
図６Ａ、６Ｂのように、第１壁１００ａは第１延出方向Ｄに延出した下層筋２００ａと中層筋からなるプレキャスト壁である。下層筋２００ａは第１壁１００ａを貫通する４本の鉄筋を含み、さらに、中層筋の分布は下層筋２００ａに比べて底面１０３から離間して近傍しない。中層筋から底面１０３までの距離は、中層筋から頂面１０１までの距離とほぼ等しいか又は若干大きくてよい。また、中層筋は２本の鉄筋を含み、２本の鉄筋は互いに第１壁１００ａ中央から離間した方向に分離して、それぞれ第１壁１００ａの両側に近傍し、好ましくはそれぞれと前記２列の垂直鉄筋２６０と連接され、即ち、互いに垂直に交わり、中層筋の鉄筋突出部は本体部（図示せず）と延出部２２２からなり、本体部は第１壁１００ａ内に位置し、延出部は第１壁１００ａの端面１０５の外部に突伸する。また、本体部と延出部２２２はジョイント２２３等のような連接構造と連接される。図６Ａのように、ジョイント２２３は第１壁１００ａの端面１０５にあり、延出部２２２と本体部とを連接して、第１壁１００ａの端面１０５の外部に突伸する。中層筋の本体部と延出部２２２の２段式設計はプレキャストした第１壁１００ａの運送や組立に便利であり、中層筋は端面の外部に突伸した鉄筋突出部がないことから、梁４００の載置に都合が良い。梁４００の設置が完了すると、先ず一部のあばら筋２８０を設置し、最後に順番に延出部２２２を本体部に連接して、その他のあばら筋２０８を設置する。完成後は図６Ｂに示すとおりである。第１壁１００ａの中層筋２２０ａは２本の鉄筋突出部を含み、柱３００の主筋群３０５並びにあばら筋２０８と交錯して連接される。
【００２３】
図７のように、下層筋２００ｂと中層筋２２０ｂを含む前記第１壁１００ｂの配筋は、前記図６Ａ−６Ｂで示された実施形態と同じである。
【００２４】
第１壁１００ｂはさらに頂面１０１と端面１０５が交わる箇所に形成された凹溝１０６を有する。凹溝１０６は第１延出方向Ｄに、また、第１延出方向Ｄに垂直な方向に、それぞれ適度な長さがあり、中層筋２２０ｂ内で、２本が互いに第１壁１００ｂ中央から離間した方向に分離し、第１壁１００ｂの両側にそれぞれ近傍する鉄筋の一部が凹溝１０６の第１側壁１０６０から凹溝１０６内に露出することが可能である。前記露出した部分は第１延出方向Ｄに別の鉄筋とラップジョイント（後述する）できる適度な長さがあることが好ましい。
【００２５】
また、図７に示す中層筋２２０ｂは中層筋の本体部と看做すことができる。中層筋の延出部は、本実施形態ではあばら筋に組立てられる（図示せず）。あばら筋を柱３００の支承面３０１（図４Ｂ）に設置した後、延出部を凹溝１０６内に収容して、さらに凹溝１０６内に露出した部分の中層筋２２０ｂと接触する。中層筋２２０ｂと延出部は凹溝１０６にグラウティングした後互いに結合される。
【００２６】
図８のように、第１壁１００ｃの下層筋２００ｃは大きい番号の鉄筋を使用する。下層筋２００ｃの鉄筋の番号は一般の壁筋に使用される水平鉄筋より大きく、この場合、中層筋（図示せず）は鉄筋突出部でなくてもよい。
【００２７】
以上、本考案はこのような実施形態に限定されるものではなく、考案の趣旨を逸脱しない範囲において、種々の形態で実施することができる。
【符号の説明】
【００２８】
１ 梁無し耐震壁の構造 
１０       耐震壁   
１００、１００ａ、１００ｂ、１００ｃ 第1壁
１０１     頂面
１０３     底面
１０５     端面
１０６     凹溝
１０６０   第1側壁
１１０     壁
２００、２００ａ、２００ｂ、２００ｃ 下層筋
２０５     湾曲部
２２０、２２０ｂ 中層筋
２２１     本体部
２２２     延出部
２２３     ジョイント
２４０、２４０ａ  上層筋
２６０     垂直鉄筋
２８０     あばら筋
２８０１   鉄筋
３００     柱
３０１     支承面
３０５     主筋群
３０７     鉄筋突出部
４００     梁
４３０     梁柱接合部
５０       床スラブ／床
５１       鉄筋
５００    床スラブ
６００    第二壁
６１０、６１０ａ 
壁筋
６１０２ａ 水平鉄筋
６１０４ａ 垂直鉄筋
７００     型枠
７６０     プレキャスト部材
Ｄ         第1延出方向
Ｌ１、Ｌ２、Ｌ３ 距離
ｈ、Ｈ     高さ
【図１Ａ】
0003176376.tif 000003
【図１Ｂ】
0003176376.tif 000004
【図１Ｃ】
0003176376.tif 000005
【図２】
0003176376.tif 000006
【図３Ａ】
0003176376.tif 000007
【図３Ｂ】
0003176376.tif 000008
【図４Ａ】
0003176376.tif 000009
【図４Ｂ】
0003176376.tif 000010
【図４Ｃ】
0003176376.tif 000011
【図４Ｄ】
0003176376.tif 000012
【図５】
0003176376.tif 000013
【図６Ａ】
0003176376.tif 000014
【図６Ｂ】
0003176376.tif 000015
【図７】
0003176376.tif 000016
【図８】
0003176376.tif 000017
【手続補正書】
【提出日】平成24年3月29日(2012.3.29)
【手続補正１】
【補正対象書類名】明細書
【補正対象項目名】０００６
【補正方法】変更
【補正の内容】
【０００６】        上述した課題を解決し、目的を達成するために、本考案に係る梁無し耐震壁の構造は、頂面、底面、及び前記頂面・前記底面と連接する端面を有する第1壁と、前記第1壁が前記底面を有する一側に設置されて前記第1壁に隣接し、前記第1壁と共に耐震壁を形成する第２壁と、前記第1壁の前記頂面に設置されて前記耐震壁に支持された床スラブと、前記耐震壁の一辺に隣接し、前記床スラブがその上に支持される少なくとも１つの柱と、からなることを特徴とする。
【手続補正２】
【補正対象書類名】明細書
【補正対象項目名】００１０
【補正方法】変更
【補正の内容】
【００１０】まず、本考案の梁無し耐震壁の構造の第１実施形態について説明する。（第１実施形態）本考案の実施形態における梁無し耐震壁の構造は図１Ａ、１Ｂ、１Ｃに示される通りであり、本考案の梁無し耐震壁の構造１は耐震壁１０、床スラブ５００、及び少なくとも１本の柱３００からなる。前記耐震壁１０は現場でコンクリート打ちして一体成型すると共に、床スラブ５００、梁柱接合部４３０と隣接させる。換言すると、耐震壁１０の高さＨは柱３００に等しい。また、図２のように、耐震壁の１０の成型で使用される型枠７００は、公知の方法で耐震壁１０の壁筋６１０ａと事前にプレキャスト部材７６０に組立てるのが好ましい。プレキャスト部材７６０の設置が完了すると（後で説明する）、型枠７００の間にコンクリート等の建築用スラリーを流し込み、耐震壁１０の壁１１０が形成される。壁１１０の高さｈは柱３００と梁柱接合部４３０の合計に等しい。壁筋６１０ａは水平鉄筋６１０２ａと垂直鉄筋６１０４ａからなる。垂直鉄筋６１０４ａは一端が耐震壁１０の壁から突伸して床スラブ５００の鉄筋と連接し、上方に新たな階層を建造する。
【手続補正３】
【補正対象書類名】明細書
【補正対象項目名】００１４
【補正方法】変更
【補正の内容】
【００１４】図４Ｄのように、耐震壁１０、床スラブ５００、以及少なくとも１本の柱３００からなる。柱３００の本数は２本が好ましく、床又は床スラブ５０に設置されそれぞれ耐震壁１０の両辺に隣接して、床スラブ５００を支持する。また、耐震壁１０は第１壁１００、第２壁６００、及び梁柱接合部４３０からなり、柱３００と梁４００とを連接し、梁柱接合部４３０は第１壁１００、及び支持する床スラブ５００と隣接する。
【手続補正４】
【補正対象書類名】明細書
【補正対象項目名】００２１
【補正方法】変更
【補正の内容】
【００２１】図４Ｃ−４Ｄのように第２壁６００は第１壁１００が底面１０３を有する一側に設置されて、第１壁１００と隣接する。第２壁６００は梁柱接合部４３０を設置／形成した後、また、床スラブ５００を設置／形成した後若しくは設置／形成する前に、現場でコンクリート打ちをして形成することが好ましい。図４Ｃのように、第２壁６００の配筋は垂直鉄筋と水平鉄筋の壁筋６１０を含む。
【手続補正５】
【補正対象書類名】実用新案登録請求の範囲
【補正対象項目名】全文
【補正方法】変更
【補正の内容】
【実用新案登録請求の範囲】
【請求項１】
頂面、底面、及び前記頂面・前記底面と連接する端面を有する第1壁と、前記第1壁が前記底面を有する一側に設置されて前記第1壁に隣接し、前記第1壁と共に耐震壁を形成する第２壁と、前記第1壁の前記頂面に設置されて前記耐震壁に支持された床スラブと、前記耐震壁の一辺に隣接し、前記床スラブがその上に支持される少なくとも１つの柱と、からなることを特徴とする梁無し耐震壁の構造。
【請求項２】
前記第1壁には第1延出方向、及び少なくとも2本の下層筋と中層筋を有し、前記少なくとも2本の下層筋と中層筋は前記第1延出方向に延出することを特徴とする請求項１に記載の梁無し耐震壁の構造。
【請求項３】
少なくとも１本の柱と、前記少なくとも１本の柱に隣接し、壁の高さが前記柱の高さより高い耐震壁と、前記耐震壁の壁と前記少なくとも１つの柱上に支持された床スラブと、前記柱、前記耐震壁、及び前記床スラブに連接された少なくとも１つの梁柱接合部と、からなり、前記柱と前記梁柱接合部の高さの合計が前記耐震壁の高さに実質的に等しいことを特徴とする梁無し耐震壁の構造。